(57)【要約】【課題】コンデンサモジュールのインダクタンスを低減する。【解決手段】コンデンサモジュールは、第１コンデンサ素子と、第２コンデンサ素子と、第１バスバと、第２バスバと、第３バスバとを備える。第１コンデンサ素子は、正極および負極のうち一方の極性である第１電極を上面に有するとともに、正極および負極のうち一方の極とは異なる他方の極性である第２電極を下面に有する。第２コンデンサ素子は、第１コンデンサ素子の側面を取り囲む。第２コンデンサ素子は、他方の極性である第３電極を上面に有するとともに、一方の極性である第４電極を下面に有する。第１バスバは、第１コンデンサ素子の第２電極と第２コンデンサ素子の第４電極とを接続する。第２バスバは、第１コンデンサ素子の第１電極から延びている。第３バスバは、第２コンデンサ素子の前記第３電極から第２バスバに並走して延びている。【選択図】図２
2020141026.tif 000002
【特許請求の範囲】
【請求項１】
コンデンサモジュールであって、
正極および負極のうち一方の極性である第１電極を上面に有しているとともに、正極および負極のうち前記一方の極とは異なる他方の極性である第２電極を下面に有している第１コンデンサ素子と、
前記第１コンデンサ素子の側面を取り囲んでおり、前記他方の極性である第３電極を上面に有しているとともに、前記一方の極性である第４電極を下面に有している第２コンデンサ素子と、
前記第１コンデンサ素子の前記第２電極と前記第２コンデンサ素子の前記第４電極とを接続している第１バスバと、
前記第１コンデンサ素子の前記第１電極から延びている第２バスバと、
前記第２コンデンサ素子の前記第３電極から前記第２バスバに並走して延びている第３バスバと、
を備えているコンデンサモジュール。
【発明の詳細な説明】
【技術分野】
【０００１】
本明細書は、コンデンサモジュールに関する技術を開示する。
【背景技術】
【０００２】
コンデンサモジュールとして、正極および負極のうち一方の極性である上面電極と、他方の極性である下面電極とを有するものが知られている。例えば、特許文献１に、そのようなコンデンサモジュールが開示されている。特許文献１のコンデンサモジュールは、上面電極から上方に延びている上面バスバと、下面電極から上方に延びている下面バスバとを備えている。下面バスバは、コンデンサ素子の側方を通過してから、上面バスバに並走して上方に延びている。
【先行技術文献】
【特許文献】
【０００３】
【特許文献１】特開２０１７−１９１８２４号公報
【発明の概要】
【発明が解決しようとする課題】
【０００４】
コンデンサモジュールの一方の電極のバスバと他方の電極のバスバを並走させると、電流が互いに反対方向に流れるので電流に起因して発生する誘導磁場を低減することができる。すなわち、バスバを並走させるとバスバの寄生インダクタンスを低減することができる。しかしながら、特許文献１のコンデンサモジュールでは、下面バスバの部分のうちコンデンサ素子の側方に位置する部分が上面バスバと並走しておらず、その部分の寄生インダクタンスは低減できていない。
【課題を解決するための手段】
【０００５】
本明細書が開示するコンデンサモジュールは、第１コンデンサ素子と、第２コンデンサ素子と、第１バスバと、第２バスバと、第３バスバとを備えている。第１コンデンサ素子は、正極および負極のうち一方の極性である第１電極を上面に有しているとともに、正極および負極のうち一方の極とは異なる他方の極性である第２電極を下面に有している。第２コンデンサ素子は、第１コンデンサ素子の側面を取り囲んでいる。第２コンデンサ素子は、他方の極性である第３電極を上面に有しているとともに、一方の極性である第４電極を下面に有している。第１電極と第４電極が同極（例えば正極）であり、第２電極と第３電極が同極（例えば負極）である。
【０００６】
第１バスバは、第１コンデンサ素子の第２電極と第２コンデンサ素子の第４電極とを接続している。第２バスバは、第１コンデンサ素子の第１電極から延びている。第３バスバは、第２コンデンサ素子の前記第３電極から第２バスバに並走して延びている。
【０００７】
上記形態のコンデンサモジュールによれば、第２バスバおよび第３バスバにおいて相互に並走していない部分を削減できるため、寄生インダクタンスを低減することができる。なお、本明細書では、説明の便宜上、コンデンサ素子の互いに反対方向を向く２面の一方を「上面」と称し、他方を「下面」と称する。従って上記の表現において、「上面（下面）」が必ずしも鉛直上方（下方）を向いている必要はないことに留意されたい。
【図面の簡単な説明】
【０００８】
【図１】実施例のコンデンサモジュールの斜視図である。
【図２】図１のＦ１−Ｆ２線に沿ったコンデンサモジュールの断面図である。
【発明を実施するための形態】
【０００９】
図１は、実施例のコンデンサモジュール１０の斜視図である。図２は、コンデンサモジュール１０を示す断面図である。図２は、図１のＦ２−Ｆ２断面で切断したコンデンサモジュール１０の断面を示している。
【００１０】
コンデンサモジュール１０は、例えば、他の電気機器とともに車両に搭載される。コンデンサモジュール１０は、第１コンデンサ素子１００と、第２コンデンサ素子２００と、第１バスバ３００と、第２バスバ４００と、第３バスバ５００とを備えている。
【００１１】
コンデンサモジュール１０の第１コンデンサ素子１００は、単独でコンデンサとして機能し、第２コンデンサ素子２００と直列に接続されている。第１コンデンサ素子１００は、角丸長方形の断面を有する柱状の立体を成す。第１コンデンサ素子１００は、上面１０２と、下面１０４と、側面１０６とを有する。上面１０２は、角丸長方形を成す。下面１０４は、上面１０２と同様に、角丸長方形を成す。側面１０６は、上面１０２および下面１０４の外周に沿って拡がり、上面１０２と下面１０４との間を繋ぐ。側面１０６は、電気的絶縁性を有する。
【００１２】
第１コンデンサ素子１００は、コンデンサ本体１１０と、第１電極１２０と、第２電極１３０とを備える。第１コンデンサ素子１００のコンデンサ本体１１０は、誘電体フィルムに金属蒸着電極を形成した金属化フィルムを巻くことによって形成されている。
【００１３】
第１コンデンサ素子１００の第１電極１２０は、コンデンサ本体１１０の正極として機能する電極である。第１電極１２０は、コンデンサ本体１１０の一端に設けられ、第１コンデンサ素子１００の上面１０２を構成する。第１電極１２０は、角丸長方形を成す。第１電極１２０は、金属溶射によって形成された電極である。第１電極１２０は、錫−亜鉛（Ｓｎ−Ｚｎ）合金を主成分とする。金属溶射によって形成される電極はメタリコン電極と呼ばれることがある。
【００１４】
第１コンデンサ素子１００の第２電極１３０は、コンデンサ本体１１０の負極として機能する電極である。第２電極１３０は、コンデンサ本体１１０の他端に設けられ、第１コンデンサ素子１００の下面１０４を構成する。第２電極１３０は、角丸長方形を成す。第２電極１３０は、金属溶射によって形成された電極である。第２電極１３０は、錫−亜鉛（Ｓｎ−Ｚｎ）合金を主成分とする。
【００１５】
コンデンサモジュール１０の第２コンデンサ素子２００は、単独でコンデンサとして機能し、第１コンデンサ素子１００と直列に接続されている。第２コンデンサ素子２００は、第１コンデンサ素子１００の側面１０６を取り囲み、楕円環状の断面を有する柱状の立体を成す。第２コンデンサ素子２００は、上面２０２と、下面２０４と、外周面２０６、内周面２０８とを有する。上面２０２は、楕円環状を成す。下面２０４は、上面２０２と同様に、楕円環状を成す。外周面２０６は、上面２０２および下面２０４の外周に沿って拡がり、上面２０２と下面２０４との間を繋ぐ。外周面２０６は、電気的絶縁性を有する。内周面２０８は、上面２０２および下面２０４の内周に沿って拡がり、上面２０２と下面２０４との間を繋ぐ。内周面２０８は、電気的絶縁性を有する。
【００１６】
第２コンデンサ素子２００は、コンデンサ本体２１０と、第３電極２２０と、第４電極２３０とを備える。第２コンデンサ素子２００のコンデンサ本体２１０は、誘電体フィルムに金属蒸着電極を形成した金属化フィルムを巻くことによって形成されている。
【００１７】
第２コンデンサ素子２００の第３電極２２０は、コンデンサ本体２１０の正極として機能する電極である。第３電極２２０は、コンデンサ本体２１０の一端に設けられ、第２コンデンサ素子２００の上面２０２を構成する。第３電極２２０は、楕円環状を成す。第３電極２２０は、金属溶射によって形成された電極である。第３電極２２０は、錫−亜鉛（Ｓｎ−Ｚｎ）合金を主成分とする。
【００１８】
第２コンデンサ素子２００の第４電極２３０は、コンデンサ本体２１０の負極として機能する電極である。第４電極２３０は、コンデンサ本体２１０の他端に設けられ、第２コンデンサ素子２００の下面２０４を構成する。第４電極２３０は、楕円環状を成す。第４電極２３０は、金属溶射によって形成された電極である。第４電極２３０は、錫−亜鉛（Ｓｎ−Ｚｎ）合金を主成分とする。
【００１９】
コンデンサモジュール１０の第１バスバ３００は、第１コンデンサ素子１００の第２電極１３０と、第２コンデンサ素子２００の第４電極２３０とを接続する電気伝導体である。第１バスバ３００は、第２電極１３０および第４電極２３０を覆う角丸長方形を成す。第１バスバ３００は、第２電極１３０および第４電極２３０に溶接されている。第１バスバ３００は、銅（Ｃｕ）を主成分とする金属板である。
【００２０】
コンデンサモジュール１０の第２バスバ４００は、第１コンデンサ素子１００の第１電極１２０から延びた電気伝導体である。第２バスバ４００は、矩形板状を成す。第２バスバ４００の一端は、第１電極１２０に溶接されている。第２バスバ４００は、銅（Ｃｕ）を主成分とする金属板である。
【００２１】
コンデンサモジュール１０の第３バスバ５００は、第２コンデンサ素子２００の第３電極２２０から延びた電気伝導体である。第３バスバ５００は、第２バスバ４００に並走して延びている。第３バスバ５００は、第２バスバ４００と同じ長さを有する矩形板状を成す。第３バスバ５００の一端は、第３電極２２０に溶接されている。第３バスバ５００は、銅（Ｃｕ）を主成分とする金属板である。
【００２２】
以上説明した実施形態のコンデンサモジュール１０によれば、従来のコンデンサモジュール（特許文献１に開示されているコンデンサモジュール）と比較して、第２バスバ４００および第３バスバ５００において相互に並走していない部分を削減できるため、インダクタンスを低減できる。
【００２３】
実施例で説明した技術に関する留意点を述べる。第１コンデンサ素子１００は、互いに反対方向を向く２面の一方に第１電極１２０を備えており、他方に第２電極１３０を備えている。第２コンデンサ素子２００は、互いに反対方向を向く２面の一方に第３電極２２０を備えており、他方に第４電極２３０を備えている。第２コンデンサ素子２００は筒状であり、筒の一端に第３電極２２０を備えており、他端に第４電極２３０を備えている。第１電極１２０と第４電極２３０が同極であり、第２電極１３０と第３電極２２０が同極である。
【００２４】
第２コンデンサ素子２００は第１コンデンサ素子１００を取り囲んでいるとともに、第１電極１２０と第３電極２２０が同じ方向を向くように配置されている。別言すれば、第１コンデンサ素子１００の第２電極１３０と第２コンデンサ素子２００の第４電極２３０が同じ方向を向いている。第１バスバ３００が第２電極１３０と第４電極２３０を接続している。第２バスバ４００は第１コンデンサ素子１００の第１電極１２０に接続されている。第３バスバ５００は、第２コンデンサ素子２００の第３電極２２０に接続されているとともに、第２バスバ４００に並走するように延びている。
【００２５】
以上、実施形態を詳細に説明したが、これらは例示にすぎず、特許請求の範囲を限定するものではない。特許請求の範囲に記載の技術には、上述した実施形態を様々に変形、変更したものが含まれる。また、本明細書または図面において説明した技術要素は、単独であるいは各種の組合せによって技術的有用性を発揮するものであり、出願時の請求項に記載した組合せに限定されるものではない。また、本明細書または図面において説明した技術は、複数の目的を同時に達成するものであり、そのうちの一つの目的を達成すること自体で技術的有用性を持つものである。
【符号の説明】
【００２６】
１０：コンデンサモジュール
１００：第１コンデンサ素子
１０２：上面
１０４：下面
１０６：側面
１１０：コンデンサ本体
１２０：第１電極
１３０：第２電極
２００：第２コンデンサ素子
２０２：上面
２０４：下面
２０６：外周面
２０８：内周面
２１０：コンデンサ本体
２２０：第３電極
２３０：第４電極
３００：第１バスバ
４００：第２バスバ
５００：第３バスバ
【図１】
2020141026.tif 000003
【図２】
2020141026.tif 000004